(57)【要約】【課題】ワークの厚みにばらつきがあっても、副資材を用いることなく、ワークを傷つけずに確実にシート材を剥離することを目的とする。【解決手段】張り渡された弦１ｓをシート材９２ｂと板材９１との境目Ｐｂから侵入させて、シート材９２ｂの剥離部を形成する工程と、シート材９２ｂの剥離部が形成された部分を掴み、シート材９２ｂを板材９１から全面剥離する工程と、を含み、剥離部を形成する工程では、弦１ｓを張り渡す弓状部１ｄを駆動して、弦１ｓを板材９１の側端部に対向する所定位置に配置させる動作と、弦１ｓが板材９１の厚さ方向における中間部分に所定の押圧力Ｆで当たるように弓状部１ｄを面に平行な方向に駆動する動作と、押圧力Ｆを維持しながら弦１ｓが側端部に沿って境目Ｐｂに達するまで移動するように弓状部１ｄを面に垂直な方向に駆動する動作と、を一連動作として順次実行する。【選択図】図１
2015048223.tif 000002
【特許請求の範囲】
【請求項１】
表面にシート材が貼付された板材から前記シート材を剥離する剥離装置であって、
前記板材を保持する保持部と、
弦が張り渡されるとともに、前記弦が前記板材の側端部に対向する所定位置から、前記側端部のうち前記板材の厚さ方向における中間部分に所定の押圧力で当たるように前記表面に平行な方向に駆動したのち、前記押圧力を維持しながら前記弦が前記側端部に沿って前記シート材と前記板材との境目に移動するように前記表面に垂直な方向に駆動するように構成された弓状部を有し、前記弦を前記境目から侵入させて、前記シート材に剥離部を形成する剥離部形成部と、
前記シート材の剥離部を掴み、前記シート材を前記板材から全面剥離する全面剥離部と、
を備えたことを特徴とする剥離装置。
【請求項２】
前記所定位置に前記弦を配置してからの前記弓状部の一連の駆動における前記押圧力の経時的変化に基づいて、前記剥離部が形成されたか否かを判定する起点形成状況判定部を備えたことを特徴とする請求項１に記載の剥離装置。
【請求項３】
前記剥離部形成部は、前記剥離部が形成されたと判定されるまで、前記一連の駆動を繰り返すことを特徴とする請求項２に記載の剥離装置。
【請求項４】
前記弦の張力を測定する張力測定部を有し、
前記張力から前記押圧力を算出することを特徴とする請求項１ないし３のいずれか１項に記載の剥離装置。
【請求項５】
前記弦の前記側端部に沿った移動を補助するための弦移動補助機構を備えたことを特徴とする請求項１ないし４のいずれか１項に記載の剥離装置。
【請求項６】
表面にシート材が貼付された板材から前記シート材を剥離する方法であって、
前記板材を保持する工程と、
張り渡された弦を前記シート材と前記板材との境目から侵入させて、前記シート材の剥離部を形成する工程と、
前記シート材の剥離部を掴み、前記シート材を前記板材から全面剥離する工程と、を含み、
前記剥離部を形成する工程では、
前記弦を張り渡す弓状部を駆動して、前記弦を前記板材の側端部に対向する所定位置に配置させる動作と、
前記弦が前記側端部のうち前記板材の厚さ方向における中間部分に所定の押圧力で当たるように前記弓状部を前記表面に平行な方向に駆動する動作と、
前記押圧力を維持しながら前記弦が前記側端部に沿って前記境目に達するまで移動するように前記弓状部を前記表面に垂直な方向に駆動する動作と、を一連動作として順次実行することを特徴とするシート材の剥離方法。
【請求項７】
前記一連動作における前記押圧力の経時的変化に基づいて、前記剥離部が形成されたか否かを判定する起点形成状況判定工程を含むことを特徴とする請求項６に記載のシート材の剥離方法。
【請求項８】
前記剥離部を形成する工程では、
前記起点形成状況判定工程により、前記剥離部が形成されたと判定されるまで、前記一連動作を繰り返すことを特徴とする請求項７に記載のシート材の剥離方法。
【発明の詳細な説明】
【技術分野】
【０００１】
本発明は、例えば液晶パネルの偏光板の保護シートなどのように、板材の表面に貼付されているシート材の剥離方法および剥離装置に関するものである。
【背景技術】
【０００２】
板材を保護するために貼付されているシート材には、サイズが板材よりも大きく、掴みしろのあるものと、サイズが板材と同等もしくは小さく、掴みしろのないものがある。シート自体の省資源では、掴みしろのないシート材の方が好ましいが、剥離のきっかけ（剥離部）を生成するために、粘着剤等の副資材が増加することがあった。
【０００３】
そこで、掴みしろのないシート材に対して副資材を用いずに、剥離部を生成するため、例えば、弾性を有する爪状の部材をワーク（板材に保護シートを張り付けた状態のもの）の端部に当てた状態で、上方に移動させてシートの端部に剥離部分を形成する剥離装置（例えば、特許文献１参照。）、ワーク面の端部近傍部分を押圧したり、プレートをシート材と板材の境目に侵入させたりする剥離装置（例えば、特許文献２参照。）、あるいは、ニードルをシート材に突き刺す剥離装置（例えば、特許文献３参照。）等が考案されてきた。
【先行技術文献】
【特許文献】
【０００４】
【特許文献１】特開２０００−２４７５３７号公報（段落００２６、図８）
【特許文献２】特開２００５−１７４４４号公報（段落０００８〜０００９、図１〜図２、段落００２２〜００２４、図９）
【特許文献３】特開２０１１−１３１９５４号公報（段落００２０〜００２３、００２８〜００３３、図１〜図５）
【発明の概要】
【発明が解決しようとする課題】
【０００５】
しかしながら、いずれの手法もワーク（板材部分）を傷つけずに剥離部を形成することが難しいという問題を抱えている。例えば、特許文献１や２では、爪状の部材や剛体をワークに押しあてているが、剥離を生じやすくするために押圧力を大きくしていくと、ワークに傷をつける恐れがある。また、特許文献３においても、剥離を生じやすくするためには、ニードルを深く突き刺す必要があり、ワークに傷をつける恐れがある。とくに、プレートを境目部分に侵入させたり、ニードルを突き刺したりする場合には、板材とシート材の境目部分の高さや深さを正確に把握しなければ、ワークを傷つけずに剥離部を生じさせることは困難であった。
【０００６】
この発明は、掴みしろのないシート材に対し、ワークの厚みにばらつきがあっても、副資材を用いることなく、ワークを傷つけずに確実にシート材を剥離することができるシート材の剥離方法および剥離装置を得ることを目的としている。
【課題を解決するための手段】
【０００７】
本発明にかかるシート材の剥離方法は、表面にシート材が貼付された板材から前記シート材を剥離する方法であって、前記板材を保持する工程と、張り渡された弦を前記シート材と前記板材との境目から侵入させて、前記シート材の剥離部を形成する工程と、前記シート材の剥離部を掴み、前記シート材を前記板材から全面剥離する工程と、を含み、前記剥離部を形成する工程では、前記弦を張り渡す弓状部を駆動して、前記弦を前記板材の側端部に対向する所定位置に配置させる動作と、前記弦が前記側端部のうち前記板材の厚さ方向における中間部分に所定の押圧力で当たるように前記弓状部を前記表面に平行な方向に駆動する動作と、前記押圧力を維持しながら前記弦が前記側端部に沿って前記境目に達するまで移動するように前記弓状部を前記表面に垂直な方向に駆動する動作と、を一連動作として順次実行することを特徴とする。
【０００８】
本発明にかかる剥離装置は、表面にシート材が貼付された板材から前記シート材を剥離する剥離装置であって、前記板材を保持する保持部と、弦が張り渡されるとともに、前記弦が前記板材の側端部に対向する所定位置から、前記側端部のうち前記板材の厚さ方向における中間部分に所定の押圧力で当たるように前記表面に平行な方向に駆動したのち、前記押圧力を維持しながら前記弦が前記側端部に沿って前記シート材と前記板材との境目に移動するように前記表面に垂直な方向に駆動するように構成された弓状部を有し、前記弦を前記境目から侵入させて、前記シート材に剥離部を形成する剥離部形成部と、前記シート材の剥離部を掴み、前記シート材を前記板材から全面剥離する全面剥離部と、を備えたことを特徴とする。
【発明の効果】
【０００９】
この発明によれば、弦を所定押圧力で押し当てた状態で、ワークの側端部に沿って保護シートと板材との境目まで移動させるようにしたので、ワークの厚みにばらつきがあっても、副資材を用いることなく、ワークを傷つけずに確実にシート材を剥離することができる。
【図面の簡単な説明】
【００１０】
【図１】本発明の実施の形態１にかかる剥離装置の構成を説明するための側面図である。
【図２】本発明の実施の形態１にかかる剥離装置の構成を説明するための底面図である。
【図３】本発明の実施の形態１にかかる剥離装置を前下方から見たときの斜視図である。
【図４】本発明の実施の形態１にかかる剥離装置の動作、およびシート材の剥離方法を説明するための工程ごとの状態を示す側面図である。
【図５】本発明の実施の形態１にかかる剥離装置の動作、およびシート材の剥離方法を説明するためのフローチャートである。
【図６】本発明の実施の形態２にかかる剥離装置の動作、およびシート材の剥離方法を説明するための工程ごとの状態を示す側面図である。
【図７】本発明の実施の形態２の他の例にかかる剥離装置の動作、およびシート材の剥離方法を説明するためのある工程での状態を示す側面図である。
【発明を実施するための形態】
【００１１】
実施の形態１．
図１〜図５は、本発明の実施の形態１にかかるシート材の剥離方法および剥離装置について説明するためのもので、図１は剥離装置の剥離部を形成する部分近傍の側面図、図２は剥離装置の剥離部を形成する部分近傍の底面図、図３は剥離装置の剥離部を形成する部分を前下方から見たときの斜視図、図４（ａ〜ｅ）は剥離装置の動作、およびシート材の剥離方法を説明するための工程ごとの剥離装置及びワークの状態を示す側面図、図５は剥離装置の動作、およびシート材の剥離方法を説明するためのフローチャートである。
【００１２】
本発明の実施の形態１にかかる剥離装置１０は、図１〜図３に示すように、シート材９２が貼付された板材９１（まとめてワーク９０）を保持するためのワーク保持部３と、ワーク保持部３に保持されたワーク９０に対して、シート材９２の剥離部を形成するための剥離部形成部１と、剥離部形成部１が形成した剥離の起点となる剥離部をもとに、ワーク９０（厳密には板材９１）からシート材９２を全面的に剥離する全面剥離部２とを備えたものである。なお、剥離動作では、剥離部形成部１や全面剥離部２は、ワーク９０の面に平行な方向において、基本的に辺に対して４５度の角度（対角線方向：図中ｘ方向）で、ワーク９０の角（側端部）からワーク９０内に進行するように移動する。以下、詳細に説明する。
【００１３】
剥離部形成部１は、張り渡した弦１ｓをワーク９０に押し付けることで剥離部を形成するものであり、弦１ｓを自重で垂れない程度に張り渡すとともにその位置を調整して、ワーク９０に対して押圧力Ｆを発生させるように駆動する弓状部１ｄと、弓状部１ｄの弦１ｓを張り渡す両端（根元）部分に、弦１ｓと弓状部１ｄとを繋ぐように設けられ、押し付け力を管理するために弦１ｓの張力を測定する張力測定部１ｍとを備えている。
【００１４】
弦１ｓとして、本実施の形態では、極細のピアノ線を適用したが、ワーク９０（板材９１）やシート材９２の材質に合わせて好適な材質と太さに変更してよい。また、張力測定部１ｍは、測定された張力の時間変化を図示しない計算機に出力できるものを用いる。図３では弓状部１ｄの弦１ｓを張り渡す両端に張力測定部１ｍを配置している例を示しているが、実際に張力を測定する機器は片側のみに設置しても構わない。また、本実施の形態では、弦１ｓのワーク９０への押圧力を後述するように弦１ｓの張力から算出するようにしているが、それに限ることはなく、弓状部１ｄにかかる力を測定し、その力から押圧力Ｆを算出するようにしてもよい。
【００１５】
弓状部１ｄは、弦１ｓが繋がれた張力測定部１ｍをワーク９０の面に平行な方向における進行方向（図中のｘ方向）とワーク９０の厚み方向（図中z方向）に移動させることができるように構成されている。張力測定部１ｍ（弦１ｓの根元）の座標は、図示しない座標測定手段によって知ることができるものとする。座標測定手段は、目盛り付き測定器具でも、電子的な測定手段でもいずれでも構わないが、座標を上述した押圧力Ｆの算出に用いる場合は、測定結果を計算機に出力できる機能が必要となる。
【００１６】
全面剥離部２は、シート把持部２ｃと、シート把持部２ｃをワーク９０の辺に対して４５度のライン（あるいは対角線（図中、ｘ方向））上のシート材９２の全面を剥離するのに十分な距離を駆動する全面駆動部２ｄ（図では途中部分までを示す。）により構成される。ここでは、シート把持部２ｃとして機械式把持を用いたものを示す。シート把持部２ｃは、シート材９２を把持するため、先端部分をワーク９０の厚み方向（図中z方向）で駆動する機能も有するものとする。
【００１７】
ワーク保持部３は、掴みしろがないシート材９２が貼り付けられたワーク９０を位置決め保持するためのもので、基本的には、ワーク９０を保持面３ｆに対して固定し、保持する為のステージである。ワーク９０の保持方式としては、吸着保持、粘着保持、機械式把持など、ワーク９０が固定できればいずれでも構わない。また、保持面３ｆには、ワーク９０の角部をセットする基準位置を示す基準マーク３ｐが記されている。
【００１８】
基準マーク３ｐの位置も、上述した座標測定手段によって表すようにしている。基準マーク３ｐの位置は剥離装置１０に対して常に固定されているので、ここを座標測定手段の原点とすることが望ましい。基準マーク３ｐの位置は、弦１ｓを押し当てるワーク９０の角部をセットする基準である。したがって、ワーク保持部３に対して弦１ｓが平行に保たれている限りは、ワーク９０と弦１ｓの接点は、基準マーク３ｐと張力測定部１ｍ（弦１ｓの根元）の座標から求めることができる。以上より、シート材初期剥離時の弦１ｓの形は、左右の張力測定部１ｍ(弦１ｓの根元と繋がっている)とワーク９０と弦１ｓの接点の３点の座標より一意に求めることができる。
【００１９】
そして、後述する弦１ｓからワーク９０に働く押圧力Ｆは、張力測定部１ｍで測定した弦１ｓの張力Ｔと、角部（側端部）、弦１ｓの両根元部分（張力測定部１ｍ）の３点の座標より求めた弦１ｓの形から求める。具体的には、シート材９２ａの剥離を続ける間、張力Ｔのデータおよび２つの張力測定部１ｍの位置データが、上述した計算機にリアルタイムで出力され、計算機はそれらのデータから算出した押圧力Ｆおよびその経時的変化に基づいて、剥離動作の制御を行う。
【００２０】
つぎに、上述した剥離装置１０を用いてシート材９２を剥離する方法について図４の工程ごとの側面図、および図５のフローチャートを用いて説明する。なお、図４では、対象となるワーク９０には、被保護部材である板材９１の両面に掴みしろのないシート材９２ａ、９２ｂがそれぞれ貼付されている場合を示しており、シート材９２ｂを剥離対象とした場合について説明する。なお、説明においては、ワーク９０の厚み方向であるｚ方向を垂直方向、ワーク９０の面に平行な方向のうち、剥離動作における進行方向であるｘ方向を水平方向と称する。その際、図４（ａ〜ｅ）では、弦１ｓとワーク９０との位置関係を説明するため、剥離部形成部１については、弦１ｓのワーク９０の辺に対する４５度のラインによる切断面部分のみを示し、他の部分は記載を省略している。
【００２１】
はじめに、図４（ａ）に示すように、シート材９２ａ側を保持面３ｆに向け、角部が基準マーク３ｐに一致するように、ワーク９０をワーク保持部３の所定位置に設置（保持）する（ステップＳ１０）。そして、弦１ｓの初期位置として、水平方向で角部から所定距離離れ、垂直方向でワーク９０の板材９１の厚み部分の中間部分の位置に移動させる（ステップＳ２０）。さらに、弦１ｓをワーク９０に向けて水平移動させて角部にあて、所定押圧力Ｆｄに到達するまで、水平移動を継続する（ステップＳ３０〜Ｓ４０）。
【００２２】
なお、所定押圧力Ｆｄは、予め試験により求めておいた、剥離部の形成に必要な押圧力Ｆｒ以上で、かつワーク９０に傷が発生する押圧力Ｆｉよりも小さな値になるように設定（Ｆｒ≦Ｆｄ＜Ｆｉ）されている。そして、以降の工程においても、Ｆｉを超えないように弓状部１ｄの動作を制御することで、ワーク９０を傷つけることなく剥離をおこなうことができる。
【００２３】
つぎに、水平方向の位置を維持したまま、押圧力Ｆが所定値Ｆｓ以下になるまで、図４（ｂ）に示すように、弦１ｓが保持面３ｆから離れる方向、つまり板材９１部分から剥離対象のシート材９２ｂ部分に向けて垂直方向に移動するように、弓状部１ｄを駆動する（ステップＳ５０〜Ｓ６０）。
【００２４】
弓状部１ｄの垂直方向への移動につられ、弦１ｓのワーク９０の角部に接する部分も、垂直方向に移動するが、板材９１に当たっている間は、押圧力Ｆ（張力Ｔ）は変化しない。しかし、弦１ｓは所定押圧力Ｆｄでワーク９０の角部に押し当てられながら垂直方向に移動する。そのため、図４（ｃ）に示すように板材９１の部分から板材９１とシート材９２ｂの境目Ｐｂに到達すると、弦１ｓはシート材９２ｂと板材９１との境目Ｐｂから内部に向けて侵入し、張力（押圧力Ｆ）が低下することになる。
【００２５】
このとき、図示しない計算機は、押圧力Ｆの変動パターンとして、張力Ｔの経時的変化を解析して剥離部の形成が成功したか否かを判断する（ステップＳ７０〜Ｓ８０）。具体的には、弦１ｓが板材９１との境目Ｐｂから内部に向けて侵入したときの変動パターンの条件を予め記録しておき、取得された変動パターンが記録された条件と合致するか否かにより、剥離部の形成が成功したか否かを判断する。
【００２６】
例えば、弦１ｓが垂直方向に移動している（ステップＳ５０）際、板材９１の角部に当たっている間は、張力Ｔ（押圧力）変化がほとんどなく、張力（押圧力Ｆ）はＦｄに近い値を持続する。そして、成功時には、弦１ｓが板材９１との境目Ｐｂから内部に侵入するので、張力Ｔ（押圧力Ｆ）はＦｓ以下の値になだらかに減少する。一方、失敗時には、弦１ｓが境目Ｐｂを超えてシート材９２ｂ側に移行し、さらにシート材９２ｂを超えて空振りしてしまい、張力がＦｓ以下の値に急激に減少する。つまり、張力Ｔ（押圧力Ｆ）がＦｓ以下に低下する際の時間当たりの変化量が閾値以下であれば成功（ステップＳ８０で「Ｙ」）、閾値以上であれば失敗（ステップＳ８０で「Ｎ」）というように判断することができる。
【００２７】
失敗の場合は、ステップＳ２０に戻り、再トライする。成功の場合は、図４（ｄ）に示すように、弦１ｓの水平方向の移動距離が所定値に達するまで、弓状部１ｄを水平方向に移動する（ステップＳ９０〜Ｓ１００）。このとき、シート把持部２ｃで把持できる程度まで、弦１ｓの侵入範囲、つまり、剥離部が拡大される。
【００２８】
上記のように剥離部が必要範囲まで拡大されると、全面剥離工程（ステップＳ２００）として、図４（ｅ）に示すように、剥離部部分をシート把持部２ｃで把持し、シート把持部２ｃをワーク９０の他端側まで水平方向に移動するように全面駆動部２ｄを駆動する。これにより、シート材９２ｂが板材９１から全面剥離される。
【００２９】
上述したシート材（シート材９２）の剥離方法あるいは剥離装置１０によれば、掴みしろのないシート材９２の剥離部の形成の際にワーク９０に働く押圧力Ｆを、ワーク９０に傷が発生する押圧力Ｆｉ未満となるように、制御できるので、ワーク９０を傷つけずに剥離部を形成することが可能である。とくに、押圧力Ｆは、張力測定部１ｍにより計測された張力Ｔと座標測定手段により求められた弦１ｓの形から導出できるので、図示しない計算機（コンピュータ）により、弓状部１ｄの移動速度（初期剥離速度）および位置の調整により、所望の押圧力Ｆに制御できる。
【００３０】
このとき、従来例の例えば特許文献２に開示された方法のうちの、ワーク面の端部近傍部分を押圧する方法と異なり、本実施の形態および後述する各実施の形態では、ワーク９０に向かう力は、保護すべき面ではなく、ワーク９０の側端部に向かう。そのため、剥離部形成の安定性とワークの傷発生率の間のトレードオフの関係を弱める効果も有する。
【００３１】
また、例えば、特許文献２に開示された方法のうちの、プレートを境目部分に侵入させる方法と異なり、本実施の形態および後述する各実施の形態では、弦１ｓがワーク９０の側端部上を板材９１の部分から境目Ｐｂに向かって、連続して移動するように構成している。そのため、ワークのバラツキによって、境目Ｐｂの位置（とくに厚み）が変化しても、シート材９２よりも圧倒的に厚みの厚い板材９１に弦１ｓを押し付けることができ、空振りするような事態を回避できる。そして、無為に板材９１を押圧し続けるような事態も回避できる。
【００３２】
そのため、トライアル当たりの剥離部の形成率が向上するのはもちろんのこと、例えば、ステップＳ８０で失敗したことが判明したとしても、パラメータ（特許文献２におけるプレートの垂直位置）を再調整する必要なく、容易に再トライアルが行える。このことは、ワークに応じてワークの高さを測定したり、調整したりする機構を省略することにつながり、工程や装置の簡略化にも貢献する。
【００３３】
つまり、従来の剥離方法や剥離装置では、剥離部を確実に形成させられる保証はないにもかかわらず、剥離部形成の成否を確認できず、効率よく剥離を行うことが困難であった。しかし、本実施の形態および後述する各実施の形態にかかるシート材の剥離方法および剥離装置１０では、剥離部形成の成功率が高まるとともに、成否判断も容易にでき、確実に剥離を行うことができる。
【００３４】
以上のように、本発明の実施の形態１にかかる剥離装置１０によれば、表面にシート材９２ｂが貼付された板材９１からシート材９２ｂを剥離する剥離装置１０であって、板材９１（シート材９２を含めるとワーク９０）を保持するワーク保持部３と、弦１ｓが張り渡されるとともに、弦１ｓが板材９１の側端部に対向する所定位置から、前記側端部のうち板材９１の厚さ方向における中間部分に所定の押圧力Ｆで当たるように前記表面に平行な方向に駆動したのち、押圧力Ｆを維持しながら弦１ｓが前記側端部に沿ってシート材９２ｂと板材９１との境目Ｐｂに移動するように前記表面に垂直な方向に駆動するように構成された弓状部１ｄを有し、弦１ｓを境目Ｐｂから侵入させて、シート材９２ｂに剥離部を形成する剥離部形成部１と、シート材９２ｂの剥離部を掴み、シート材９２ｂを板材９１から全面剥離する全面剥離部２と、を備えるように構成したので、ワーク９０の厚みにばらつきがあっても、板材９１を傷つけることがなく、弦１ｓを確実に境目Ｐｂに侵入させることができるので、副資材を用いることなく、ワーク（板材９１）を傷つけずに確実にシート材９２ｂを剥離することができる。
【００３５】
とくに、前記所定位置に弦１ｓを配置してからの弓状部１ｄの一連の駆動における押圧力Ｆの経時的変化に基づいて、剥離部が形成されたか否かを判定する起点形成状況判定部（図示しない計算機）を備えるように構成したので、剥離部の成否を把握することができる。
【００３６】
また、剥離部形成部１は、剥離部が形成されたと判定されるまで、一連の駆動を繰り返すように構成したので、より確実に剥離部を形成できる。また、一連の駆動を繰り返す際にシート面の位置を調整したりする必要もないので、容易に剥離部形成の成功率を向上させることができる。
【００３７】
また、弦１ｓの張力を測定する張力測定部１ｍを有し、測定した張力から押圧力Ｆを算出（例えば、起点形成状況判定部）するようにしたので、押圧力Ｆだけでなく、弦１ｓの状態も把握することができる。
【００３８】
また、本実施の形態１にかかるシート材９２ｂの剥離方法によれば、表面にシート材９２ｂが貼付された板材９１からシート材９２ｂを剥離する方法であって、板材９１（シート材９２を含めるとワーク９０）を保持する工程と、張り渡された弦１ｓをシート材９２ｂと板材９１との境目Ｐｂから侵入させて、シート材９２ｂの剥離部を形成する工程と、シート材９２ｂの剥離部が形成された部分を掴み、シート材９２ｂを板材９１から全面剥離する工程と、を含み、剥離部を形成する工程では、弦１ｓを張り渡す弓状部１ｄを駆動して、弦１ｓを板材９１の側端部に対向する所定位置に配置させる動作と、弦１ｓが板材９１の厚さ方向における中間部分の側端部（角部）に所定の押圧力Ｆで当たるように弓状部１ｄを前記面に平行な方向に駆動する動作と、押圧力Ｆを維持しながら弦１ｓが側端部に沿って境目Ｐｂに達するまで移動するように弓状部１ｄを前記面に垂直な方向に駆動する動作と、を一連動作として順次実行するように構成したので、ワーク９０の厚みにばらつきがあっても、板材９１を傷つけることがなく、弦１ｓを確実に境目Ｐｂに侵入させることができるので、副資材を用いることなく、ワーク（板材９１）を傷つけずに確実にシート材９２ｂを剥離することができる。
【００３９】
とくに、一連動作における押圧力Ｆの経時的変化に基づいて、剥離部が形成されたか否かを判定する起点形成状況判定工程を含むように構成したので、剥離部の成否を把握することができる。
【００４０】
また、剥離部を形成する工程では、起点形成状況判定工程により剥離部が形成されたと判定されるまで、一連動作を繰り返すように構成したので、より確実に剥離部を形成できる。また、一連動作を繰り返す際にシート面の位置を調整したりする必要もないので、容易に剥離部形成の成功率を向上させることができる。
【００４１】
実施の形態２．
本実施の形態２にかかる剥離装置では、上記実施の形態１にかかる剥離装置に、全面剥離にスムーズに移行するための補助動作を行う剥離補助部を追加したものである。図６（ａ〜ｃ）は、本発明の実施の形態２にかかる剥離装置の構成およびシート材の剥離方法について説明するためのもので、剥離部が形成されてから全面剥離に移行する際の工程ごとの剥離装置及びワークの状態を示す側面図である。また、図７は本実施の形態２にかかる剥離装置を用い、図６（ａ）に対応する工程において、剥離部が形成された時の状況が異なる場合の状態を示す側面図である。図中、実施の形態１と同様のものには同じ符号を付し、詳細な説明は省略する。
【００４２】
図６に示すように、本実施の形態２にかかる剥離装置１０には、シート材９２ｂの剥離部が形成された部分を板材９１から垂直方向に引き離す剥離補助部４を設けるようにした。剥離補助部４は、シート材９２ｂの剥離部が形成された部分を、シート把持部２ｃでの把持が容易になる程度に板材９１から離すためのものである。具体的には、図６（ａ）に示すように、シート面を吸着あるいは粘着等によって捕捉する捕捉面４ａを垂直方向に駆動できるように構成している。なお、剥離補助部４は水平方向にも駆動できるように構成している。
【００４３】
そして、上記のような構成を備えることで、例えば、剥離部を形成した際に、シート材９２ｂの端部が再び板材９１側に接してしまったような場合でも、以下に示すようにして剥離を行うことができる。はじめに、図６（ａ）に示すように、シート材９２ｂの剥離部が形成された部分に捕捉面４ａが当たるよう、剥離補助部４を保持面３ｆに向かって駆動させる。
【００４４】
そして、捕捉面４ａがシート材９２ｂを捕捉したまま剥離補助部４を保持面３ｆから離れる方向に駆動すると、図６（ｂ）に示すように、板材９１に接しているシート材９２ｂの端部を、板材９１から離すことができる。このようにして、シート把持部２ｃの掴みしろが確保できたら、図６（ｃ）に示すようにシート材９２ｂの端部をシート把持部２ｃで把持し、捕捉面４ａをシート材９２ｂから離す。これにより、実施の形態１で説明したように、全面剥離工程（ステップＳ２００）に移行することができる。
【００４５】
なお、上記例では、弦１ｓが境目Ｐｂから侵入した後に、端部が板材９１側に接触してしまう場合について説明したが、剥離補助部４は、弦１ｓがシート材９２ｂと板材９１との間に侵入できなかった場合でも効果を発揮する。例えば、弦１ｓが境目Ｐｂを通り越してしまった場合でも、図７に示すように、シート材９２ｂの端面を押して、端面周辺を撓ませることができれば、撓んだ部分を剥離補助部４により捕捉して板材９１から離反させることができる。これにより、シート把持部２ｃの掴みしろを確保し、スムーズに全面剥離に移行することができる。
【００４６】
なお、剥離補助部４でのシート材９２ｂの捕捉を、粘着機構で行う場合でも、剥離部を形成するために用いるのとは異なり、強力な粘着を必要としないので、捕捉面４ａを付け替える必要はなく、副資材が必要になるわけではない。
【００４７】
以上のように、本発明の実施の形態２にかかる剥離装置１０によれば、全面剥離部２での剥離部が形成された部分を掴む成功率が低い場合や、弦１ｓが掴みしろのないシート材９２ｂと板材９１の境目Ｐｂに侵入することができない場合であっても、板材９１を傷つけずにシート材９２ｂを剥離することが可能である。また、起点形成状況判定部（図示しない計算機）で剥離部の成否だけではなく、形成の度合いを判定させるようにし、その判定結果に応じて、剥離補助部４の使用を判断させるようにすれば、効率よくシート材９２ｂの剥離を実施できる。
【００４８】
実施の形態３．
本実施の形態３にかかる剥離装置では、全面剥離において、把持ではなく、吸着保持や粘着保持により、剥離部を形成した部分を掴むようにしたものである。この構成によれば、剥離補助部４から全面剥離部２への切り替えが不要となるので、実施の形態２の効果に加え、さらに効率的に掴みしろのないシート材９２を剥離できるという利点がある。なお、把持の代わりに粘着機構で行う場合でも、剥離部を形成するために用いるのとは異なり、強力な粘着を必要としないので、副資材が必要になるわけではない。
【００４９】
実施の形態４．
本実施の形態４にかかる剥離装置では、弦がワークの側端部に沿ってスムーズに移動できるよう、弦の根元部分に回転機構を設けたものである。具体的には、弦１ｓが移動する際に、弦１ｓと側端部との摩擦により回転できるように、張力測定部１ｍに糸回転機構を設けたものである。糸回転機構としては、例えば、張力測定部１ｍに、図示しないベアリングを組み込む構成が考えられる。
【００５０】
剥離部を形成する工程において、弦１ｓを鉛直方向に移動させる際（ステップＳ５０、図４（ｂ）〜図４（ｃ））、弦１ｓとワーク９０との摩擦が大きい場合、あるいはワーク９０の側端部の平面度が粗い場合に、弦１ｓがワーク９０の側端部に引っ掛かることが考えられる。しかし、この構成によれば、弦１ｓと側端部との間に引っ掛かりが発生したとしても、弦１ｓが回転することで、スムーズに弦１ｓを境目Ｐｂに向けて鉛直方向に移動させることができる。
【００５１】
実施の形態５．
本実施の形態５にかかる剥離装置では、弦がワークの側端部に沿ってスムーズに移動できるよう、弦を振動させる振動機構を設けたものである。具体的には、弦１ｓの根元である張力測定部１ｍに、偏芯したおもりをつけたモーターの回転による遠心力によって振動を発生させるという構成が考えられる。
【００５２】
この構成によれば、弦１ｓが微小に振動しているので、弦１ｓと側端部との間に引っ掛かりが発生したとしても、スムーズに弦１ｓを境目Ｐｂに向けて鉛直方向に移動させることができる。さらに、弦１ｓが板材９１とシート材９２ｂとの境目Ｐｂに達した際に、板材９１とシート材９２ｂの間に侵入するための推進力を得ることもできる。
【００５３】
つまり、上記実施の形態４に示す回転機構あるいは、実施の形態５に示す振動機構は、弦１ｓのワーク９０の側端部に沿った移動を補助するための弦移動補助機構と言うことができ、弦移動補助機構を備えたことで、より剥離部を形成する成功率がさらに高まる。
【００５４】
実施の形態６．
本実施の形態６にかかる剥離装置では、剥離部を容易に形成するため、弦を発熱体で構成したものである。具体的には、弦１ｓを電熱線のような発熱体で構成するとともに、弦１ｓに電流を流す機構を設け、剥離部を形成する際に弦１ｓを所定の温度に昇温できるようにしたものである。
【００５５】
この構成によれば、弦１ｓがワーク９０の側端部を押圧している間、弦１ｓから発せられる熱がシート材９２ｂと板材９１に伝わる。そのため、例えば、シート材９２ｂと板材９１に、高温の場合、傷ができにくいという温度依存性がある場合に、板材９１を傷つけずに、シート材９２ｂを剥離することが、より安定的に実行できる。
【符号の説明】
【００５６】
１：剥離部形成部、  １ｄ：弓状部、  １ｓ：弦、  １ｔ：張力測定部、  ２：全面剥離部、  ２ｃ：シート把持部、  ２ｄ：全面駆動部、回路基板、  ３：ワーク保持部、  ３ｆ：保持面、  ３ｐ：基準マーク、  ４：剥離補助部、  ４ａ：吸着面、  １０：剥離装置、  ９０：ワーク、  ９１：板材、  ９２：シート材、
Ｆ：押圧力、  Ｆｒ：剥離部形成に必要な押圧力、  Ｆｉ：板材に傷を発生させる押圧力、  Ｐｂ：シート材と板材との境目。
【図１】
2015048223.tif 000003
【図２】
2015048223.tif 000004
【図３】
2015048223.tif 000005
【図４】
2015048223.tif 000006
【図５】
2015048223.tif 000007
【図６】
2015048223.tif 000008
【図７】
2015048223.tif 000009